(57)【要約】【課題】遮熱性や断熱性に優れる遮熱カーテンを提供する。【解決手段】遮熱カーテン１は、表地を構成する第１層１０と、裏地を構成する第２層１１と、第１層１０と第２層１１との間に挟み込まれる第３層１２とを有する。第３層１２は、シート状の綿からなる。第１層１０、第２層１１、及び第３層は、間隔をあけて並ぶ複数の直線、間隔をあけて並ぶ複数の波状線、直交格子状の線、斜交格子状の線、或いは、円状の線に沿って接合される。第１層１０、第２層１１、及び第３層１２は、縫合或いは超音波溶着により接合される。【選択図】図１
2014023758.tif 000002
【特許請求の範囲】
【請求項１】
表地を構成する第１層と、
裏地を構成する第２層と、
前記第１層と前記第２層との間に挟み込まれる第３層とを有し、
前記第３層は、シート状の綿からなる遮熱カーテン。
【請求項２】
前記第１層、前記第２層、及び前記第３層は、間隔をあけて並ぶ複数の直線、間隔をあけて並ぶ複数の波状線、直交格子状の線、斜交格子状の線、或いは、円状の線に沿って接合される請求項１に記載の遮熱カーテン。
【請求項３】
前記第１層、前記第２層、及び前記第３層は、縫合により接合される請求項２に記載の遮熱カーテン。
【請求項４】
前記第１層、前記第２層、及び前記第３層の材料には、ポリエステルが含まれ、
前記第１層、前記第２層、及び前記第３層は、超音波溶着により接合される請求項２に遮熱カーテン。
【発明の詳細な説明】
【技術分野】
【０００１】
本発明は、遮熱性や断熱性に優れるカーテンに関する。
【背景技術】
【０００２】
従来、建築物の窓等に取り付けられるカーテンとして、遮光機能や防音機能を備えるカーテンが使用されている。例えば、遮光機能を備えるカーテンとして、生地が２重に重ねられるカーテンがある（例えば特許文献１）。また、防音機能を備えるカーテンとして、布状基材の表面に樹脂層が設けられるカーテンがある（例えば特許文献２）。
【先行技術文献】
【特許文献】
【０００３】
【特許文献１】特開２０００−２９６３０７号公報
【特許文献２】特開２００４−１４７７３４号公報
【発明の概要】
【発明が解決しようとする課題】
【０００４】
近年、電力節約のために、空調設備の使用を控えることが推奨されている。これを背景として、遮熱性や断熱性に優れ、室内を保温可能なカーテンが求められている。本発明は、上記事項に鑑みてなされたものであり、その目的は、遮熱性や断熱性に優れるカーテンを提供することである。
【課題を解決するための手段】
【０００５】
上記目的を達成するため、本発明に係る遮熱カーテンは、表地を構成する第１層と、裏地を構成する第２層と、前記第１層と前記第２層との間に挟み込まれる第３層とを有し、前記第３層は、シート状の綿からなる。
【０００６】
好ましくは、前記第１層、前記第２層、及び前記第３層は、間隔をあけて並ぶ複数の直線、間隔をあけて並ぶ複数の波状線、直交格子状の線、斜交格子状の線、或いは、円状の線に沿って接合される。
【０００７】
好ましくは、前記第１層、前記第２層、及び前記第３層は、縫合により接合される。
【０００８】
好ましくは、前記第１層、前記第２層、及び前記第３層の材料には、ポリエステルが含まれ、前記第１層、前記第２層、及び前記第３層は、超音波溶着により接合される。
【発明の効果】
【０００９】
本発明によれば、第２層は、綿からなることで、空気を保持する。そして、第２層に保持される空気が、遮熱カーテンに伝わる放射熱を遮断する。このため、遮熱カーテンは、遮熱性や断熱性に優れる。
【図面の簡単な説明】
【００１０】
【図１】本発明の実施形態に係る遮熱カーテンを示す斜視図である。
【図２】直線状の接合線を示す概略正面図である。
【図３】直交格子状の接合線を示す概略正面図である。
【図４】斜交格子状の接合線を示す概略正面図である。
【図５】波状の接合線を示す概略正面図である。
【図６】円状の接合線を示す概略正面図である。
【発明を実施するための形態】
【００１１】
以下、本発明の実施の形態について、添付図面を参照しながら説明する。図１は、本発明の実施形態に係る遮熱カーテンの構成を示す斜視図である。
【００１２】
本実施形態の遮熱カーテン１は、家屋等の建築物の窓２に対して取り付けられる。遮熱カーテン１は、第１層１０と、第２層１１と、第３層１２とを有する。
【００１３】
第１層１０は、室内側に配置され、表地を構成する。第１層１０は、ポリエステル、コットン、麻、レーヨン、アクリル等を含む生地からなる。
【００１４】
第２層１１は、室外側（窓２側）に配置され、裏地を構成する。第２層１１は、ポリエステル、コットン、麻、レーヨン、アクリル等を含む生地からなる。
【００１５】
第３層１２は、第１層１０と第２層１１との間に挟み込まれる中間層である。第３層１２は、シート状の綿からなる。該綿の材料として、コットンや麻などの天然繊維や、ポリエステルや、ポリエステル等を含む合成繊維を使用できる。なお本発明において、綿とは、繊維状のものが絡まりあってひとまとまりの状態になったものを意味する。また、コットンとは、ワタの種子から取れる繊維（木綿）を意味する。また、第３層１２の材料として、上記の繊維以外に、空気を保持可能なあらゆる機能素材を使用できる。
【００１６】
第１層１０、第２層１１、及び第３層１２は、縫合により接合される。この接合の方法は様々あり、例えば、第１層１０、第２層１１、及び第３層１２は、間隔をあけて並ぶ複数の直線Ｓ１（図２）に沿って接合される。
【００１７】
図２（ａ），（ｂ）は、隣り合う２つの直線Ｓ１の間隔が等しい例を示す。図２（ａ）では、直線Ｓ１の間隔が小さく、図２（ｂ）では、直線Ｓ１の間隔が大きい。これらの例では、直線Ｓ１により、遮熱カーテン１の内部が、略同一幅の複数の空間に区切られる。
【００１８】
図２（ｃ）は、直線Ｓ１の間隔が、交互に幅広と幅狭にされる例である。この例では、幅狭の間隔で隣り合う２つの直線Ｓ１により、第１層１０、第２層１１、及び第３層１２が、強固に接合される。
【００１９】
或いは、図３に示すように、第１層１０、第２層１１、及び第３層１２は、直交格子状の線Ｓ２，Ｓ３に沿って接合されてもよい。
【００２０】
図３（ａ），（ｂ）は、各格子の面積が等しい例を示す。図３（ａ）では、格子の面積が小さく、図３（ｂ）では、格子の面積が大きい。これらの例では、接合線Ｓ２，Ｓ３により、遮熱カーテン１の内部が、略同一面積の複数の空間に区切られる。
【００２１】
図３（ｃ）は、接合線Ｓ２（長手方向の接合線）の間隔が、交互に幅広と幅狭にされる例を示す。この例では、幅狭の間隔で隣り合う２つの接合線Ｓ２により、第１層１０、第２層１１、及び第３層１２が、強固に接合される。
【００２２】
或いは、図４に示すように、斜交格子状の線Ｓ４，Ｓ５に沿って、第１層１０、第２層１１、及び第３層１２が接合されてもよい。図４（ａ）は、格子の面積が大きい例を示す。図４（ｂ）は、格子の面積が中程度の例を示す。図４（ｃ）は、格子の面積が小さい例を示す。これらの例では、接合線Ｓ４，Ｓ５により、遮熱カーテン１の内部が、略同一面積の複数の空間に区切られる。
【００２３】
或いは、図５に示すように、複数の波状線Ｓ６に沿って、第１層１０、第２層１１、及び第３層１２が接合されてもよい。複数の波状線Ｓ６は、等間隔で形成される。図５（ａ）では、波状線Ｓ６の間隔が大きく、図５（ｂ）では、波状線Ｓ６の間隔が小さい。これらの例では、波状線Ｓ６により、遮熱カーテン１の内部が、略同一幅の複数の空間に区切られる。
【００２４】
或いは、図６に示すように、円状の線Ｓ７に沿って、第１層１０、第２層１１、及び第３層１２が接合されてもよい。図６（ａ），（ｂ）では、円状の線Ｓ７が複数形成されており、複数の線Ｓ７が横方向及び縦方向に一定の間隔で並んでいる。図６（ａ）では、線Ｓ７（線Ｓ７が描く円）の直径が大きく、図６（ｂ）は、線Ｓ７（線Ｓ７が描く円）の直径が小さくなっている。
【００２５】
上記の遮熱カーテン１は、以下の工程から製造される。まず、第１層１０、第２層１１、第３層１２の生地が作製される。ついで、第１層１０、第２層１１、及び第３層１２の生地が、順次重ね合わされる。ついで、ミシン針を用いて、第１層１０、第２層１１、及び第３層１２を、接合線Ｓ１〜Ｓ７（図２〜図６）に沿って縫合する。これにより、第１層１０、第２層１１、及び第３層１２が接合されて、遮熱カーテン１の製造が完了する。
【００２６】
本実施の形態によれば、第２層１１は、綿からなることで、空気を保持する。そして、第２層１１に保持される空気が、遮熱カーテン１に伝わる放射熱を遮断する。このため、遮熱カーテン１は、遮熱性や断熱性に優れ、室内の保温効果を奏する。
【００２７】
また、第１層１０、第２層１１、及び第３層１２が、縫合により接合されるため、遮熱カーテン１の生地に一体感がもたらされる。
【００２８】
また、第１層１０、第２層１１、及び第３層１２の合わせ目である接合線Ｓ１〜Ｓ７（図２〜図６）は、遮熱カーテン１内における空気（第２層１１に保持される空気）の移動を阻む。このため、遮熱カーテン１内の空気の分布に、偏りが生じることが抑えられる。よって、遮熱カーテン１の遮熱性や断熱性に偏りが生じることを防止できる。
【００２９】
また、図２（ａ），（ｂ）や図５に示す接合線Ｓ１，Ｓ６により、遮熱カーテン１内を略同一幅の複数の空間に区切る場合や、図３（ａ），（ｂ）や図４に示す接合線Ｓ２，Ｓ３，Ｓ４，Ｓ５により、遮熱カーテン１内を略同一面積の複数の空間に区切る場合には、遮熱カーテン１内の空気の分布が均一になる。したがって、遮熱カーテン１の各部位における遮熱性や断熱性が均一になる。
【００３０】
また、図２（ｃ）や図３（ｃ）に示すように、幅狭の間隔で隣り合う接合線Ｓ１，Ｓ２を形成した場合には、第１層１０、第２層１１、及び第３層１２が強固に接合される。このため、遮熱カーテン１内における空気の移動を確実に阻止できる。よって、遮熱性や断熱性に偏りが生じることを、より確実に防止できる。
【００３１】
以上、本発明の一実施形態について説明したが、本発明の具体的な態様は、上記実施形態に限定されるものではない。
【００３２】
例えば、第１層１０、第２層１１、及び第３層１２の材料にポリエステルが含まれる場合には、第１層１０、第２層１１、及び第３層１２は、超音波溶着により接合されてもよい。この接合の方法はより多様にあり、例えば図２〜図６のように、第１層１０、第２層１１、及び第３層１２は、間隔をあけて並ぶ複数の直線Ｓ１、直交格子状の線Ｓ２，Ｓ３、斜交格子状の線Ｓ４，Ｓ５、間隔をあけて並ぶ複数の波状線Ｓ６、或いは、円状の線Ｓ７に沿って接合されてもよい。
【００３３】
上記の超音波溶着が行われる場合、遮熱カーテン１は、以下の工程で製造される。まず、例えば、ポリエステル７０％、コットン３０％の含有率で、第１層１０、第２層１１、第３層１２の生地が作製される。ついで、第１層１０、第２層１１、及び第３層１２の生地が、順次重ね合わされる。ついで、接合線Ｓ１〜Ｓ７（図２〜図６）に沿って、第１層１０、第２層１１、及び第３層１２に、超音波キルト加工をかける。この結果、接合線Ｓ１〜Ｓ７（図２〜図６）に沿って、第１層１０と第２層１１とが接合され、また、第２層１１と第３層１２とが接合されて、遮熱カーテン１の製造が完了する。
【００３４】
上記のように、超音波溶着により第１層１０、第２層１１、及び第３層１２を接合する場合には、キルトパターンに制限がなく、あらゆるキルトパターンが作成可能である。
【００３５】
また、第１層１０〜第３層１２の生地に穴を開けることなく、第１層１０、第２層１１、第３層１２を接合できる。このため、撥水加工など、新たな機能を追加する加工を、容易に行うことができる。
【符号の説明】
【００３６】
１  遮熱カーテン
１０  第１層
１１  第２層
１２  第３層
Ｓ１  直線
Ｓ２，Ｓ３  直交格子状の線
Ｓ４，Ｓ５  斜交格子状の線
Ｓ６  波状線
Ｓ７  円状の線
【図２】
2014023758.tif 000003
【図３】
2014023758.tif 000004
【図４】
2014023758.tif 000005
【図５】
2014023758.tif 000006
【図６】
2014023758.tif 000007
【図１】
2014023758.tif 000008